Podtech/llm-jp-corpus-v4-ja_patent huggingface dataset:
(57)【要約】      （修正有）【課題】スリッパに形成するシート係止用スリット部の汚れを防止することにより、清掃用シートのスリッパへの取り付け、取り外しが衛生的に行なえる清掃用スリッパを得る【解決手段】スリッパ主体２の側面２ａにスリットを周方向に所定ピッチで形成し、スリッパ主体２の底面２ｂに配置した清掃用シート７の外周端部を前記スリットに差込み係止する。【選択図】図３
0003155680.tif 000002
【実用新案登録請求の範囲】
【請求項１】
スリッパ主体（２）の側面（２ａ）にスリット（４）を周方向に所定ピッチで形成し、スリッパ主体（２）の底面（２ｂ）に配置した清掃用シート（７）の外周端部を前記スリット（４）に差込み係止したことを特徴とする清掃用スリッパ。 
【請求項２】
スリット（４）の対面するスリッパ主体（２）の外周部に外周中空部（５）を設け、前記スリット（４）によって分割されたスリッパ主体（２）の側面（２ａ）の分割片（２ａ−１）を前記外周中空部（５）方向に弾性変形可能としたことを特徴とする請求項１記載の清掃用スリッパ。
【考案の詳細な説明】
【技術分野】
【０００１】
本考案は、スリッパの底面にゴミを付着させるシートを取り付け、該スリッパを履いて床面を歩行、あるいは摺り足することにより、床面を清掃する清掃用スリッパに関するものである。
【背景技術】
【０００２】
従来の清掃用スリッパとして、スリッパの底面の外周部にシート係止用のスリットを複数個形成し、スリッパの底面にゴミを付着させるシートを配置するとともに該シートの外周部を前記スリットに差し込んで係止するようにしたものがあった。
【０００３】
前記従来のものは、スリッパの底面にシート係止用のスリットを形成するようにしていたので、シートを装着していない時にはスリット部に床面のゴミが浸入し、また、シートを装着した際にはスリットに係止されるシートの係止部にゴミが付着することになる。このため、シートの取り付け、取り外し作業が不衛生になるものであった。
【先行技術文献】
【特許文献】
【０００４】
【特許文献１】特開２００６−１９１９９５号公報
【特許文献２】特開２００６−２１８２４４号公報
【考案の概要】
【考案が解決しようとする課題】
【０００５】
本考案は、スリッパに形成するシート係止用スリット部の汚れを防止することにより、清掃用シートのスリッパへの取り付け、取り外しが衛生的に行なえる清掃用スリッパを得ることを目的とする。
【課題を解決するための手段】
【０００６】
請求項１に係る考案は、スリッパ主体の側面にスリットを周方向に所定ピッチで形成し、スリッパ主体の底面に配置した清掃用シートの外周端部を前記スリットに差込み係止するようにしたものである。
請求項２に係る考案は、スリットの対面するスリッパ主体の外周部に外周中空部を設け、前記スリットによって分割されたスリッパ主体の側面の分割片を前記外周中空部方向に弾性変形可能としたものである。
【考案の効果】
【０００７】
請求項１に係る考案は、清掃用シートが差込み係止されるスリットをスリッパ主体の側面に設けたので、該スリット及び該スリットに差込み係止される清掃用シートの外周端部が床面に接触しなくなる。このため、前記スリット及び該スリットに差し込まれるシートの外周部にゴミが付着し難くなり、清掃用シートのスリッパへの取り付け、取り外しが衛生的に行なえることになる。
請求項２に係る考案は、清掃用シートをスリットに差込む際に、スリットによって分割されたスリッパ主体の側面（分割片）が外周中空部方向に弾性変形するので、前記清掃用シートのスリットへの差込みが手作業によって容易に行えることになる。
【図面の簡単な説明】
【０００８】
【図１】本考案の実施例を示す清掃用スリッパの斜視図である。
【図２】図１のII-II拡大断面図である。
【図３】清掃用シートの取り付け状態を示す要部拡大断面図である。
【考案を実施するための形態】
【０００９】
図１において、１は清掃用スリッパであり、足を受けるスリッパ主体２を軟質合成樹脂、あるいは発泡樹脂により形成し、底面２ｂは凹凸面（図２）とし、該スリッパ主体２の前部上面に足先部を包囲するフード部３を固着する。
【００１０】
前記スリッパ主体２の側面２ａにスリット４を周方向に所定ピッチで形成する。本例では、図１に示すように、スリッパ主体２の前端部に先端スリット４−１、前部左右に前部スリット４−２を、前後中間部の左右に中間スリット４−３を、後部の左右に後部スリット４−４をそれぞれ形成する。
【００１１】
図２、図３に示すように、前記各スリット４に対面するスリッパ主体２の側部に周方向に連続する外周中空部５を形成する。そして、前記前部スリット４−１〜後部スリット４−４は、図１に示すように、２つのスリット片４ａ，４ｂをＸ形に交差さて形成し、該スリット片４ａ，４ｂによってスリッパ主体２の該当する側面２ａを分割し、Ｘ形の分割片２ａ−１を形成する。図２、図３において、６はスリッパ主体２の内部に形成した緩衝用の内部中空部である。
【００１２】
そして、図３に示すように、ゴミを付着させる清掃用シート７をスリッパ主体２の底面２ｂ配置し、その外周端部をスリッパ主体２の側面２ａに沿って折り曲げ、各スリット４に対面する清掃用シート７の差込み部７ｂを該スリット４に差し込んで係止し、清掃用シート７の清掃面７ａ（底面）を緊張してスリッパ主体２の底面２ｂを包囲する。この状態で、使用者がスリッパ１を履いて床面を歩行、あるいは摺り足することにより、床面のチリ、ホコリ等のゴミを清掃用シート７に付着せ、該床面を清掃する。
【００１３】
前記清掃用シート７は、ゴミの付着性に富んだ不織布、ペーパー 類を長方形状、あるいはスリッパ１の底面形状に類似する大きさに裁断し、これを表裏反転してスリッパ１のスリット４に差し込み係止し、表裏の使用が完了したら新たな清掃用シート７に替えるようにする。
【符号の説明】
【００１４】
１        清掃用スリッパ
２        スリッパ主体
２ａ      側面
２ａ−１  分割片
２ｂ      底面
３        フード部
４        スリット
４ａ，４ｂ    スリット片
４−１    前端スリット
４−２    前部スリット
４−３    中間スリット
４−４    後部スリット
５        外周中空部
６        内部中空部
７        清掃用シート
７ａ      清掃面
７ｂ      差込み部
【図１】
0003155680.tif 000003
【図２】
0003155680.tif 000004
【図３】
0003155680.tif 000005
(57)【要約】      （修正有）【課題】Ｐ、Ｐバンドを使う事なく複数のダンボール箱を一体化するダンボール集合体を提供する。【解決手段】複数のダンボールの相互に対向する側面の間に両面接着テープを配置し、両面接着テープを用いて前記複数のダンボールを相互に接着し、一体にする。【選択図】図１
0003155618.tif 000002
【実用新案登録請求の範囲】
【請求項１】
複数のダンボールの相互に対向する側面の間に両面接着テープを配置し、前記両面接着テープを用いて前記複数のダンボールを相互に接着し、一体にしたダンボール集合体
【請求項２】
前記複数のダンボールは２個又は３個以上からなる請求項１に係るダンボール集合体
【考案の詳細な説明】
【技術分野】
【０００１】本考案は、複数のダンボールを相互に接着して一体化させたダンボール集合体に関するものである。
【背景技術】
【０００２】ダンボール集合体に関する文献は見あたらなかった。
箱詰め工場、梱包工場、店頭販売所などにおいて個々のダンボール荷物を一体にする場合Ｐ、Ｐバンドが使用されたいた。
【考案の概要】
【考案が解決しようとする課題】
【０００３】Ｐ、Ｐバンドにて梱包し、一つの集合体に梱包する場合Ｐ、Ｐバンドの中に炭酸カルシユウム等が練り込まれていて、更にこのＰ、Ｐバンドどうしを接着する場合、約３００℃位いの温度を加える為、石油製品であるＰ、Ｐバンドから煙が発生し、その煙を空気中に排出する為、環境汚染の原因の一つになっている。又、荷物を受け取った人達は、このＰ、Ｐバンドを産業廃棄物等として処分しなければならない。要するにリサイクル（再生）が殆んど不可能である。
【課題を解決するための手段】
【０００４】前述の課題を解決する為のダンボール集合体は、複数のダンボールを相互に両面接着剤付きのテープで接着し、一体にした事を特徴とする。又、前記複数のダンボールは２個又は３個以上からなる事を特徴とする。
【考案の効果】
【０００５】本考案は、ダンボールとダンボールを合体させるため、両面テープを使用する事によってＰ、Ｐバンドを使わずに荷物を受け取った人達がＰ、Ｐバンドの処分に困らないように出来、カラのダンボール箱を再生紙として速やかに提供できる事を可能とする。又Ｐ、Ｐバンドを使用しない為、環境汚染の要因も除去できることになる。
更に、この両面接着剤付きテープを自動的に貼っていく機械の開発も容易に出来る事となる。
【図面の簡単な説明】
【０００６】
【図１】本考案の両面接着剤つきテープをダンボール箱に貼った時の実施例を示す立体図である。図１−（ａ），図１−（ｂ），図１−（ｃ）は、それぞれの実施例である。
【図２】本考案の両面接着剤つきテープをダンボール箱に貼った時の断面図である。
【図３】本考案に使用する離型紙つき両面接着剤テープの構造図である。
【考案を実施するための形態】
【０００７】ダンボール箱とダンボール箱の間の片面に両面接着剤つきテープを貼って、この面にテープを貼っていない別のダンボール箱をのせて、テープの粘着力で２ケのダンボール箱を一体化させる。
更に別のダンボール箱を同じ方法で３ケ目のダンボール箱を一体化させる。いわゆるダンボール箱の２合わせ、３合わせ、と呼ばれるものである。
【実施例】以下、添付図面に従って実施例を説明する。図１のようにダンボール箱の一つの面に両面接着剤テープを貼っていく事によって次のダンボール箱も同様の事を行う事によって次々と複数のダンボール箱がＰ、Ｐバンドを使う事なく、接着されて一体化したダンボール箱の集合体となる。但し中間のダンボール箱の形態によっては中の品物を取り出す事が難しくなる場合もあるので、その場合は接着面のダンボール箱を側面開き又は観音開きのダンボール箱を使用する事によって問題は解決される。勿論、最初からこのダンボール箱を全部使用すれば何ら問題は発生する事なく、簡単に一体化させても構わない。
又、ロール状に巻かれた離型紙つき両面接着テープの場合、自動機械にて離型紙を剥ぎ取りながらスクラップワインダーにてこの離型紙を巻き取り、粘着剤付き両面テープを決められた長さに切断していく事によって、自動的にこの両面テープのみをダンボール箱のある一面に貼りつける事が出来る。離型紙付き両面接着テープがシート状の場合、吸盤にて一枚づつ品物が入っているダンボール箱のある一面に貼りつけていく事が出来、貼りつけた後、離型紙のみを自動的に剥がして品物が入っている別のダンボール箱を自動的に前述の両面テープを貼っている品物入りダンボール箱の上に重ね一体化させる事が出来る。品物入りダンボール箱の総重量にあわせてテープの粘着力や剪断接着力等を考慮して上記両面テープの巾や長さを選定して使用する事が望ましい。これは容易に出来る事である。
【符号の説明】
【０００８】１  両面接着剤付きテープ
２  ダンボール箱
３  粘着面
４  不織布
５  離型紙
【図１】
0003155618.tif 000003
【図２】
0003155618.tif 000004
【図３】
0003155618.tif 000005
(57)【要約】      （修正有）【課題】品物入りダンボール箱の一つの面に空気を汚染させない接着剤をぬることによって複数のダンボール箱を一体化する集合体を提供する。【解決手段】品物入りダンボール箱を２合わせ、３合わせ等に一体化する場合Ｐ、Ｐバンドを使用せずホットメルト系接着剤にて複数のダンボール箱を一体化させる事を可能ならしめＰ、Ｐバンド溶着時の煙で空気を汚染させる事を防止し受け取ったダンボール箱集合体から品物を取り出しダンボール箱のみをリサイクル用の再生紙として使用できるように速やかに提供する事が出来る。【選択図】図１
0003155619.tif 000002
【実用新案登録請求の範囲】
【請求項１】
複数のダンボールの相互に対向する側面の間にホットメルト系接着剤を配置し、前記ホットメルト系接着剤を用いて前記複数のダンボール箱を相互に接着し、一体にしたダンボール集合体
【請求項２】
前記複数のダンボール箱は２個又は３個以上からなる請求項１に係るダンボール集合体
【考案の詳細な説明】
【技術分野】
【０００１】本考案は、複数のダンボールを相互に接着して一体化させたダンボール集合体に関するものである。
【背景技術】
【０００２】ダンボール集合体に関する文献は見あたらなかった。
箱詰め工場、梱包工場、店頭販売所などにおいて個々のダンボール荷物を一体にする場合Ｐ、Ｐバンドが圧倒的に使用されていた。
【考案の概要】
【考案が解決しようとする課題】
【０００３】Ｐ、Ｐバンドにて梱包し、一つの集合体に梱包する場合Ｐ、Ｐバンドの中に炭酸カルシウム等が練り込まれていて、更にこのＰ、Ｐバンドどうしを接着する場合、約３００℃位いの温度を加える為、石油製品であるＰ、Ｐバンドから煙が発生し、その煙を空気中に排出する為、環境汚染の原因の一つになっている。又、荷物を受け取った人達は、このＰ、Ｐバンドを産業廃棄物等として処分しなければならない。要するにリサイクル（再生）が殆んど不可能である。
【課題を解決するための手段】
【０００４】前述の課題を解決する為のダンボール集合体は、複数のダンボール箱を相互にホットメルト系接着剤で接着し、一体にした事を特徴とする。又、前記複数のダンボール箱は２個又は３個以上からなる事を特徴とする。
【考案の効果】
【０００５】本考案はダンボール箱とダンボール箱を合体させるため、ホットメルト系接着剤を使用する事によってＰ、Ｐバンドを使わずに、荷物を受け取った人達がＰ、Ｐバンドの処分に困らないように出来、カラのダンボール箱だけを再生紙として速やかに提供できる事を可能とする。又、Ｐ、Ｐバンドを使用しない為、環境汚染の要因も除去できることになる。
更に、このホットメルト系接着剤を手動、自動で、ぬっていく機械はすでに存在しているので、その応用は簡単である。
【図面の簡単な説明】
【０００６】
【図１】本考案のホットメルト系接着剤をダンボール箱にぬった時の実施例を示す立体図である。図１−（ａ），図１−（ｂ），図１−（ｃ）は、それぞれの実施例である。
【図２】本考案のホットメルト系接着剤をダンボール箱にぬった時の断面図である。
【考案を実施するための形態】
【０００７】ダンボール箱とダンボール箱の間の片面にホットメルト系接着剤をダンボール箱の一つの面にぬってこの面にホットメルト系接着剤のぬってない別のダンボール箱をのせて、この接着剤の粘着力で２ケのダンボール箱を一体化させる。更に別のダンボール箱を同じ方法で３ケ目のダンボール箱を一体化させる。いわゆるダンボール箱の２合わせ、３合わせ、と呼ばれるものである。
【実施例】以下、添付図面に従って実施例を説明する。図１のようにダンボール箱の一つの面にホットメルト系接着剤をぬっていったりスポット充填していく事によって、又、次のダンボール箱も同様の事を行う事によって次々と複数のダンボール箱をＰ、Ｐバンドを使う事なく接着されて一体化したダンボール箱の集合体となる。
但し中間のダンボール箱の形態によっては中の品物を取り出す事が難しくなる場合もあるので、その場合は接着面のダンボール箱を側面開き又は観音開きのダンボール箱を使用する事によって問題は解決される。勿論、最初からこの種のダンボール箱を全部使用すれば何ら問題は発生することなく、簡単に一体化させても構わない。
又、ホットメルト系接着剤は主にエチレン酢酸ビニル樹脂やポリオレフィン樹脂を主成分にした通常は固形状の接着剤であるが接着するときには溶融機を使用して接着剤を高温で加熱溶融して液状で接着するため約２００℃近くの温度で使用する事となる。
溶融機と接着剤は高温になるので特に注意して使う必要がある。上記接着剤は加熱溶融することにより液状化してダンボール箱に塗布し冷えることによって固まり接合を形成する熱可塑性接着剤であるため、短時間で接合作業が可能となる。
粘着力も強く、缶ビールをダンボールにつめたものの、開封部の観音開き部やチーズの２０ｋｇ位いのダンボール箱開封部に接着剤として使用されているのはよく見かけるが、本考案のようなダンボール箱とダンボール箱とを接着して一体化するものとして使用されている例は見た事が無い。
【符号の説明】１  ホットメルト系接着剤
２  ダンボール箱
３  ダンボール箱の片開き又は観音開き部
【図１】
0003155619.tif 000003
【図２】
0003155619.tif 000004
(57)【要約】      （修正有）【課題】ボードゲームを外国語学習用単語帳と組み合わせて使用することで、遊びながら外国語を学習する教材を提供する。【解決手段】ゲーム盤と外国語学習用単語帳の内容を関連付けて制作し、ゲーム盤のスタートからゴールまでのそれぞれのマスに記載された外国語の表現に関する設問に対して、外国語学習用単語帳を参考にしながら遊技者が回答していくことで、楽しみながら外国語を学習できるボードゲームセット。【選択図】図１
0003155611.tif 000002
【実用新案登録請求の範囲】
【請求項１】
外国語学習用の単語帳と関連付けられた内容のボードゲームを、その単語帳と組み合わせて使用することで、外国語を学習しながら遊ぶことができるボードゲームセット。
【考案の詳細な説明】
【技術分野】
【０００１】この考察は、外国語を学習しながら楽しめるように工夫された、外国語学習用の単語帳と組み合わせたボードゲームに関するものである。
【背景技術】
【０００２】従来、ボードゲームと単語帳は別々のもので、ボードゲームは外国語を学習するための単語帳と連動した内容で使用されておらず、ボードゲームは単語帳と組み合わせて外国語を学習する教材としては使用されていなかった。
【考案の概要】
【考案が解決しようとする課題】
【０００３】これは、次のような欠点があった。ボードゲームは外国語を学習するための単語帳と組み合わせて使用されておらず、外国語を学習する教材としては利用されていなかった。本考察は、ボードゲームと単語帳を、内容が連動して関連付けられるように制作し、それらを組み合わせてゲームすることで、遊びながら外国語を学習する教材として使用できるようにするものである。
【課題を解決するための手段】
【０００４】ゲーム盤はすごろく形式になっており、それぞれのマスの中には外国語の表現に関する設問が記載されている。ゲームに参加する各遊技者は、一個ずつ単語帳を使用し、単語帳を参考にしながら、審判の定める時間内にその設問に回答し、審判はその正否を判断する。単語帳の内容はゲーム盤の設問に対応してつくられている。遊技者が順番にコマを進めてゴールに向かう過程で、単語帳を参考にしながら、マスの中の設問に回答することで外国語を学び、ゲームを楽しむ。
【考案の効果】
【０００５】ボードゲームを外国語学習用単語帳と組み合わせて使用することで、遊びながら外国語を学習する教材になり、遊技者の外国語の学習効果が期待できる。
【図面の簡単な説明】
【０００６】
【図１】本考察のゲーム盤の正面図である。背面図は無地のため省略してある。
【図２】本考察の単語帳を正面から見た斜面図である。
【図３】本考察の単語帳のカードの正面図である。背面図は無地のため省略してある。
【考案を実施するための形態】
【０００７】ゲーム盤の表面はすごろく形式になっており、スタートからゴールまでのそれぞれのマスに外国語の表現に関する設問が記載されている。その設問に関する解答のヒントをまとめた外国語学習用単語帳がゲーム盤と組になってつくられており、各遊技者は一個ずつ単語帳を使用する。ゲーム盤の設問の解答をまとめた用紙があり、審判はその用紙を見て正否を判断する。
【実施例】
【０００８】ゲームは複数の遊技者と審判１名で行う。各遊技者はゲーム盤の設問に対応した外国語学習用単語帳を一個ずつ持ち、審判は設問の解答用紙を持つ。すごろくのように、遊技者は順番にサイコロを二つころがして、その目の合計の数だけコマを前に進める。とまったゲーム盤のマスの中には、例えば「『ありがとう』をフランス語で言うと？」といったように、外国語の表現に関する設問が記載されており、各遊技者はその設問に対して、解答のヒントが記載された単語帳を参考にして、審判の定めた一定時間内に回答する。審判はその正否を判断し、正解でなければコマを指定マスまで戻す。各遊技者が設問に正解し続けると、最終的にゴールに到着する。遊技者はその順位を競って遊び、その過程で外国語を学習する。
【産業上の利用可能性】
【０００９】ゲーム盤と単語帳の内容を連動させ関連付けて組み合わせて使用することで、楽しみながら学習する教材としての応用が可能となる。
【図１】
0003155611.tif 000003
【図２】
0003155611.tif 000004
【図３】
0003155611.tif 000005
【手続補正書】
【提出日】平成21年9月16日(2009.9.16)
【手続補正１】
【補正対象書類名】実用新案登録請求の範囲
【補正対象項目名】全文
【補正方法】変更
【補正の内容】
【実用新案登録請求の範囲】
【請求項１】
日本語もしくは外国語の様々な単語や文章を、様々な異なる外国語もしくは日本語に翻訳し表現したカード形式もしくは冊子形式の単語帳と、すごろく形式でスタートからゴールまでのそれぞれのマスにその単語帳に記載された日本語や外国語を様々な異なる外国語や日本語で表現するように設問が記載されていてその表現がわからなければゴールに進めないルールのボードゲームを、組み合わせて使用することで、外国語を学習しながら遊ぶことができるボードゲームセット。
(57)【要約】      （修正有）【課題】コンセントから差込みプラグを抜くときに、軽い上下動で抜くことができる差込みプラグを提供する。【解決手段】可動式プラグのプラグ端子外側両端に丸みを帯びた突起部を設け、プラグ端子の回転軸付け根部分が作用点となる梃子構造として、軽い力でコンセントから差込みプラグが抜けるようにした。また、プラグ端子内側両端にカム状のふくらみをもたせることで、幅の狭い並列タップにも応用でき、更にカム状のふくらみをプラグ端子内側両端の表裏に備えることにより、上下動のいずれでも抜くことができる。【選択図】図１
0003155613.tif 000002
【実用新案登録請求の範囲】
【請求項１】
可動式差込みプラグにおいて、プラグ本体のプラグ端子外側両端に突起部を設けることにより、容易にコンセントから抜けるようにした差込みプラグの構造。
【請求項２】
可動式差込みプラグにおいて、プラグ本体のプラグ端子内側両端にカム状のふくらみをもたせることにより、容易にコンセントから抜けるようにした差込みプラグの構造。
【請求項３】
可動式差込みプラグにおいて、プラグ本体のプラグ端子内側の表裏両端にカム状のふくらみをもたせることにより、容易にコンセントから抜けるようにした差込みプラグの構造。
【考案の詳細な説明】
【技術分野】
【０００１】コンセントから差込みプラグを抜くときに、軽い上下動で抜くことができる差込みプラグ。
【背景技術】
【０００２】差込みプラグのプラグ端子をコンセントに対して上下方向に自在に回転できる可動式プラグが考案され、「スナップキャップ」などの商品名で市販されている。
【考案の概要】
【考案が解決しようとする課題】
【０００３】本来、差込みプラグはコンセントに差し込んだ場合しっかりと固定させるために、プラグ端子を内部の押え金で挟み込む構造になっている。これは電源の安定した接続と安全上の配慮からなされたもので、少しの振動や外力で抜けては不都合だからである。
従って、差込みプラグをコンセントから抜くときは、プラグ端子が固定式か可動式かを問わず、かなりの力を要する。女性やお年寄り等、力の弱い方々は不便を感じるものである。
【課題を解決するための手段】
【０００４】本考案による差込みプラグの構造では、プラグ本体またはコード部分を軽く上或いは下に９０度回転させるだけで、容易にコンセントから抜くことができる。
可動式プラグのプラグ端子外側両端に丸みを帯びた突起部を設けることにより、突起部先端が支点、プラグ本体のコード側が力点、プラグ端子の回転軸付け根部分が作用点となる梃子となり、突起部先端を滑らかな半円形状とすることで、僅かな力でコンセントからプラグ端子を抜くことができる。
また、複数のコンセントを並列に並べたタップの場合、前記突起部をプラグ端子外側両端に付けるとプラグ幅が広くなるので、プラグ端子内側両端にカム状のふくらみをもたせることにより、プラグ幅は従来品のままで、軽く下へ抑えるだけでコンセントからプラグ端子を抜くことができる。
このカム状のふくらみをプラグ端子内側両端の表裏に備えると、上下いずれに動かしても、容易にプラグ端子をコンセントから抜くことができる。
【図面の簡単な説明】
【０００５】▲１▼  本考案による差込プラグを電源タップに装着した状況の正面図。
▲２▼  本考案による差込プラグを電源タップに装着した状況の側面図。
▲３▼  装着した差込プラグを抜き取る時の、力を加える方向（側面図）。
【図１】
0003155613.tif 000003
【手続補正書】
【提出日】平成21年9月18日(2009.9.18)
【手続補正２】
【補正対象書類名】明細書
【補正対象項目名】０００５
【補正方法】変更
【補正の内容】
【０００５】
【図１】本考案の請求項１に関する、差込プラグを電源タップに装着した状況の平面図。
【図２】本考案の請求項１に関する、差込プラグを電源タップに装着した状況の側面図。
【図３】本考案の請求項１に関する、装着した差込プラグを抜き取るときの、力の方向をあらわす、側面から見た作用図。
【図４】本考案の請求項２に関する、差込プラグを電源タップに装着した状況の平面図。
【図５】本考案の請求項２に関する、差込プラグを電源タップに装着した状況の側面図。
【図６】本考案の請求項２に関する、装着した差込プラグを抜き取るときの、力の方向をあらわす、側面から見た作用図。
【図７】本考案の請求項３に関する、差込プラグを電源タップに装着した状況の平面図。
【図８】本考案の請求項３に関する、差込プラグを電源タップに装着した状況の側面図。
【図９】本考案の請求項３に関する、装着した差込プラグを抜き取るときの、力の方向をあらわす、側面から見た作用図。
【手続補正３】
【補正対象書類名】図面
【補正対象項目名】全図
【補正方法】変更
【補正の内容】
【図１】
0003155613.tif 000004
【図２】
0003155613.tif 000005
【図３】
0003155613.tif 000006
【図４】
0003155613.tif 000007
【図５】
0003155613.tif 000008
【図６】
0003155613.tif 000009
【図７】
0003155613.tif 000010
【図８】
0003155613.tif 000011
【図９】
0003155613.tif 000012
(57)【要約】【課題】両端にそれぞれ正、逆方向のねじ段を備える中軸の構造の提供。【解決手段】中軸の構造の一種で、それの主要は自転車の五連管内に中軸が設置され、中軸の両端はそれぞれ延伸して連接端が設けられ、連接端の外端個所には締め付け部材の締め付け固定に用いられるねじ段を備える。中軸両端のねじ段には反対方向に設置されたねじを備え、それによって締め付け部材は中軸が回転したときの緩み脱落現象の発生を防止する。【選択図】図２
0003155551.tif 000002
【実用新案登録請求の範囲】
【請求項１】
中軸の構造の一種であって、自転車の五連管内に中軸10が設置され、中軸10の両端はそれぞれ延伸して連接端11が設けられ、連接端11の外端個所には締め付け部材20の締め付け固定に用いられるねじ段12を備え、中軸10両端のねじ段12には反対方向に設置されたねじを備え、それによって締め付け部材20は中軸10が回転したときの緩み脱落現象の発生を防止することを特徴とする中軸の構造。
【請求項２】
前記中軸10の一方のねじ段12は正方向ねじであり、他方のねじ段12は逆方向ねじであることを特徴とする請求項１記載の中軸の構造。
【請求項３】
前記中軸の前進回転方向はねじ段12の締め付け方向であることを特徴とする請求項１記載の中軸の構造。
【考案の詳細な説明】
【技術分野】
【０００１】
本考案は自転車の中軸に関するもので、更に詳しく言えば、それは特に両端にそれぞれ正、逆ねじ段を備える中軸の構造で、使用者がペダル(pedal)を踏みまわして前進した場合、自動的にペダルクランク(crank)の締め付け部材を締め付け固定し、それによって締め付け部材が騎乗時に緩み脱落する問題の発生を防止するものを指す。
【背景技術】
【０００２】
図１に示すように、従来の自転車は五連管1内に中軸2が設けられ、中軸2の両端に近い個所には環形の突き出した当て縁3が設けられ、かつ五連管1の両端にはそれぞれ蓋4が設けられ、蓋4の中央は中軸2の取り付け定位に用いられ、かつ蓋4の内側には溝5が設けられ、溝5は中軸2の当て縁3と合わせて一組のボール(ball)6を中軸2と蓋4の間に定位し、それによって中軸2は五連管1内で順調に回転することができる。中軸2の両端は連接端7であり、連接端7は自転車のペダルクランクの取り付けに用いられ、かつ連接端7の外端はねじ段8であり、ねじ段8は締め付け部材9のねじ付け固定に用いられ、それによってクランクを連接段7に締め付け固定する。
【０００３】
ところが、一般に使われている中軸2のねじ段8はすべて正方向のねじで、それぞれ中軸2の両端に設置され、二つのねじ段8の締め付け方向は逆方向である。使用者が騎乗するときは絶えずクランクを踏みまわして自転車を前進させ、中軸2もそれに伴って五連管1内で回転し、締め付け部材9はねじの隙間または振動等原因によって中軸2の回転に伴って微細に滑る。その二つのねじ段8の締め付け方向は逆方向であるため、その片側の締め付け部材9は微細の滑りによって逐次締め付け、他の一側の締め付け部材9は微細の滑りによって逐次緩め、長く使用されると、締め付け部材9は騎乗時に緩み脱落する恐れがあり、甚だしくは使用者の安全に脅威が生じる。
【考案の概要】
【考案が解決しようとする課題】
【０００４】
本考案は従来技術のねじ段はすべて正方向のねじで、その二つのねじ段の締め付け方向は逆になり、締め付け部材はねじの隙間または振動等原因によって微細な滑りが発生しやすくなり、長く使用されると、その中の一側の締め付け部材は騎乗時に脱落する恐れがあることを改善する。
【課題を解決するための手段】
【０００５】
本考案は中軸の構造に関するもので、それの主要は自転車の五連管内に中軸が設置され、中軸の両端はそれぞれ延伸して連接端が設けられ、連接端の外端個所には締め付け部材の締め付け固定に用いられるねじ段を備える。中軸両端のねじ段には反対方向に設置されたねじを備え、それによって締め付け部材は中軸が回転したときにの緩み脱落の現象の発生を防止する。
【考案の効果】
【０００６】
本案は前記中軸10両端のねじ段12に反対方向のねじが設けられ、締め付け部材20がねじの隙間、ペダルクランク30と連接端11の隙間または振動等原因によって、ペダルクランク30の回転に伴う微細な滑りが発生した場合、両端の締め付け部材20はねじ段12の締め付け方向に回転することが確保され、締め付け部材20が長く使用されても依然中軸10にしっかり締め付け、締め付け部材20が脱落する問題を確実に防止し、更に騎乗者の使用の安全が保証される。
【図面の簡単な説明】
【０００７】
【図１】従来の中軸の構造の意表図である。
【図２】本考案の立体分解意表図である。
【図３】本考案の平面意表図である。
【図４】本考案の一端のねじ段の部分意表図である。
【図５】本考案の別の一端のねじ段の部分意表図である。
【図６】本考案の使用状態の意表図（一）である。
【図７】本考案の使用状態の意表図（二）である。
【考案を実施するための形態】
【０００８】
図２及び図３に示すように、中軸の構造は次のものを含む。
中軸10、それの両端にはそれぞれ延伸して連接端11が設けられ、連接端11の外端個所には締め付け部材20の締め付け固定に用いられるねじ段12を備える。中軸10の一側のねじ段12は正方向のねじで、他側のねじ段12は逆方向のねじであり、それによって両端のねじ段12には反対方向に設置されたねじを備える。
【０００９】
二つの締め付け部材20、それらは一般のナット(nut)でよく、中軸10両端のねじ段12にねじ付けて締め付け固定の力を提供する。
【００１０】
次に本案の作動原理を詳しく説明する。
図４及び図５に示すように、前記中軸10の一方のねじ段12は正方向のねじで、他方のねじ段12は逆方向のねじであり、したがって両端のねじ段12は互いに逆方向に設置されたねじを備え、かつ中軸10の前進回転方向はねじ段12の締め付け方向である。
【００１１】
図６に示すように、中軸10両端の連接端11には自転車のペダルのクランク30が取り付けられ、かつねじ段12と締め付け部材20の設置により、ペダルクランク30を中軸10に締め付け固定することができる。
【００１２】
また図７に示すように、前記中軸10の前進回転方向はねじ段12の締め付け方向であるため、使用者が自転車のペダルクランク30を踏みまわして前進した場合、締め付け部材20はねじの隙間またはペダルクランク30と連接端11の隙間等原因により、ペダルクランク30の回転に伴い、ペダルクランク30と締め付け部材20の摩擦によって微細な滑りが発生し、締め付け部材20の回転方向は中軸10とペダルクランク30の回転方向と同じであるので、締め付け部材20に滑りが発生した場合、自動的に締め付け部材20は中軸10の端部に締め付けられる。
【符号の説明】
【００１３】
10    中軸
11    連接端
12    ねじ段
20    締め付け部材
30    ペダルクランク
【図１】
0003155551.tif 000003
【図２】
0003155551.tif 000004
【図３】
0003155551.tif 000005
【図４】
0003155551.tif 000006
【図５】
0003155551.tif 000007
【図６】
0003155551.tif 000008
【図７】
0003155551.tif 000009
(57)【要約】      （修正有）【課題】多数の干した洗濯物を一気に取り入れることができる洗濯バサミを提供する。【解決手段】中央の筒を上から押す事により、筒の中にある複数のワイヤーｅを一度に絞り込み、それぞれのワイヤーと連結された複数の別のワイヤーｆが引かれることにより、別のワイヤーｆに接続されたそれぞれのはさみ部が開き、掴んでいた洗濯物を同時に離し、下に落とす構造をもつ。【選択図】図３
0003155599.tif 000002
【実用新案登録請求の範囲】
【請求項１】
洗濯物を洗濯バサミから取り入れる時に、ワンプッシュで一気に洗濯物をはずし籠に入れる事が出来ると言う発想から考案した、ワンプッシュ取り入れ式洗濯バサミに対し特許を請求する。
【考案の詳細な説明】
【技術分野】
【０００１】本考案は、干した洗濯物を一つ一つ洗濯バサミからはずして取り入れる手間を省くために考案したものである。
【背景技術】
【０００２】従来には、一気に多数の洗濯物をはずせる簡単な構造の洗濯バサミは無かった。
【考案の開示】
【考案が解決しようとする課題】
【０００３】干した洗濯物を一つ一つ洗濯バサミからはずすのは、結構手間のかかるものであった。この課題を解決するためになされたものである。
【課題を解決するための手段】
【０００４】それぞれの洗濯バサミを、連結したワイヤー（さび難い径１ｍｍ位のステンレス）をてこの原理で引くことにより、一度に開かせることのできる仕組みの洗濯バサミを提供する。中央の筒を押す事により洗濯バサミに連結したワイヤーが絞り込まれ、ワンプッシュで洗濯物が落ちる。
【考案の効果】
【０００５】洗濯物を取り入れた経験者なら分かるはずだが、一つ一つ外すのは面倒なものである。この考案により時間の短縮にもなり、一度にどさっと籠に落ちる様は快適で、女性のみならず取り入れ係をする男性にもストレスの解消にさえなる。
【実施例】
【０００６】図面に沿って説明すると、形状は図１のようなもので、中央の筒を押す事により端についた洗濯バサミ部分を一度に開かせ、干していた洗濯物を落とす仕組みである。図３は洗濯バサミが閉じて干し物をつかんでいる状態である。図４は取り入れる際筒が押され、筒が下がり洗濯バサミが開いた状態である。【０００７】図５のように、押すための中央の筒は、筒内側にそれぞれの数、滑車をつけワイヤーにたいして滑り易くかつ押すときの力を軽くする。ワイヤーはアームに内蔵し体裁も良くかつ手などで触れた時危なくない様にする。【０００８】ワイヤー以外はプラスチックなどポリプロピレン製とする。吊るすアームの長さは直径２５０ｍｍまでがよく、下で受ける洗濯籠から落下した干し物がはみ出さないようにする。本体を竿に吊るすためのキャッチはつかみ式のしっかりしたものとする。
【図面の簡単な説明】
【０００９】
【図１】全体のイメージ。
【図２】上から見たイメージ。
【図３】洗濯バサミが閉じ、中央の筒（ａ）があがっている状態の断面図。連結されたワイヤー（ｆ、ｅ）と取り入れのとき押すための筒のしくみを示している。
【図４】取り入れる時に中央の筒が押されて、洗濯バサミが開いている状態の断面図。押された筒は下に下がり筒の中のワイヤー（ｅ）が一斉につぼまることにより、アームに内蔵されたワイヤー（ｆ）が引かれて、洗濯バサミが開く。
【図５】中央の筒の断面図。筒の内側に滑車（ｇ）をつけ、ワイヤー（ｅ）を軽圧力で押し込み易くする。中央芯棒（ｉ）にはその中央に溝を作り筒を支えるための支え棒（ｊ）が入る様にする。
【符号の説明】
【００１０】ａ中央の筒（これを押す）
ｂワイヤーを内蔵したアーム
ｃ吊るすためのアーム部分
ｄ吊るすためのキャッチ部分
ｅ筒の中のワイヤー
ｆアームに内蔵されたワイヤー
ｇ筒内側に着けられた滑車
ｈ洗濯バサミ
ｉ中央心棒
ｊ支え棒
【図１】
0003155599.tif 000003
【図２】
0003155599.tif 000004
【図３】
0003155599.tif 000005
【図４】
0003155599.tif 000006
【図５】
0003155599.tif 000007
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
中央の筒（ａ）を上から押す事により、筒の中にある複数のワイヤー（ｅ）を一度に絞り込み、それぞれのワイヤーと連結された複数の別のワイヤー（ｆ）が引かれることにより、別のワイヤー（ｆ）に接続されたそれぞれのはさみ部（ｈ）が開き、掴んでいた洗濯物を同時に離し、下に落とす構造をもった、ワンプッシュ取り入れ式洗濯バサミ。
(57)【要約】      （修正有）【課題】室内の負圧に起因する玄関ドアの開放困難を解消することのできるドアを提供する。【解決手段】開閉ドアに取付けたドアノブと同じドアノブに連結された揺動部材と同揺動部材の他側に取付けた圧力開放手段とからなる。【選択図】図１
0003155591.tif 000002
【実用新案登録請求の範囲】
【請求項１】
開閉ドアに取付けたドアノブ1と同ドアノブに連結された揺動部材（連接木、棒、ヒモ、クサリ、ワッパ等）と同揺動部材の他側に取付けた圧力開放手段とからなることを特徴とする開閉ドア。
【考案の詳細な説明】
【技術分野】
【０００１】
本発明は、主として集合住宅等に用いられている気密性の高い玄関ドアの
通気装置に関する。
【背景技術】
【０００２】
近年の住宅は、省エネルギーの観点から断熱性・気密性の向上が図られており、シックハウス症候群の対策として、２００３年より建築基準法で義務付けられた「２４時間換気システム（計画換気）」の普及も進んでいる。中でも、高層マンション等、窓を開けて換気しにくい立地の集合住宅では、法律の施行前より、電動ファンなどを用いて室内の空気を強制的に入れ換える、第１種〜第３種換気方式を採用しているところもある。
【０００３】
ところで、以上のような換気システムの給気口（レジスター）は、居室の壁面に設けられているケースが多く、その多くが（特に冬場に）閉じられている場合がある。また、集合住宅等の玄関ドアには、防犯・防火あるいはコスト上の制約から、換気・通風装置を有していないタイプが用いられることが多い。
【０００４】
そのため、このような気密性の高い住居においては、給気口や窓が密閉された状態で換気扇やレンジフード等を使用すると、室内に負圧が発生し、玄関ドアを開けるために力を要する場合があった。このような玄関ドアの開放困難は、健常者にとっては問題とならない場合も多いが、加齢者や幼児等、非力な者にとっては大きな負担となる場合もある。
【０００５】
なお、室内の負圧を解消するために、排気と同時に給気も行なうレンジフードや、レンジフードの作動に連動して開閉が自動で行なわれるキッチン専用のレジスターを備える集合住宅もある。
【先行技術文献】
【特許文献】
【０００６】
【特許文献１】特開２００５−２７９８９０号公報
【考案の概要】
【考案が解決しようとする課題】
【０００７】
本発明は、室内の負圧に起因する玄関ドアの開放困難を解消することのできるドアの通気装置を提供することを目的としている。
【課題を解決するための手段】
【０００８】
開閉ドアに取付けたドアノブ1と同ドアノブに連結された揺動部材（連接木、棒、ヒモ、クサリ、ワッパ等）と同揺動部材の他側に取付けた圧力開放手段とからなることを特徴とする開閉ドア。
【０００９】
本発明は、気密性の高い玄関ドアに、ドアノブの開閉に連動して室外の空気を取り入れることのできる通気装置を付設することにより、所期の目的を達成しようとするものである。
【００１０】
すなわち、請求項１に記載のドアの通気装置は、玄関ドアノブの開閉に連動して圧力開放部材を同時に開放し、負圧となった室内に、瞬時に室外の空気を取り入れることが可能となる。従って、本発明のドアの通気装置は、操作が非常に簡単であるとともに、加齢者や幼児等でも容易に作動させることができる。
【００１１】
また、このドアの通気装置は、部品点数が少なく安価に構成できるとともに、躯体開口部を設ける場合と比べ比較的簡単な工事のみで、短時間のうちに既設の玄関ドアの任意の位置に取り付けることが可能である。従って、本発明のドアの通気装置は、ドア周囲の躯体に開口を必要とするような大掛かりな工事を必要とせず、レンジフード等の作動に起因する既設ドアの開放困難を、少ない出費で解消することができる。
【００１２】
ここで、前記装置は建築基準法施行令等に規定された一定の防火性能を確保するために、これら部材は、それぞれ厚さ０．５ｍｍ以上の鉄製鋼板あるいはステンレス鋼板を用いて形成することが望ましい。
【考案の効果】
【００１３】
以上のように、本発明のドアの通気装置によれば、大掛かりな工事や高額な機器の交換をすることなく、室内の負圧に起因する既設ドアの開放困難を、安価に解消することができる。また、本発明のドアの通気装置は、操作が非常に簡単で、加齢者や幼児等でも容易に作動させることができる。
【図面の簡単な説明】
【００１４】
【図１】本考案の一実施例を示す開閉ドアの正面図。
【図２】本考案の一実施例を示す開閉ドアの側面図。
【考案を実施するための形態】
【００１５】
以下、図１〜２を参照して本考案に係る実施を説明する。ドアノブ1を開くために用いる力を動力伝達部に伝え給気口（3）（図はギャラリ・ブラインドサッシ構造であるが引き違い、スライド型等が考えられる）を開くことによって、居室内の負圧を解消し、ドア自体の開閉を楽にする。
【符号の説明】
【００１６】
１  ドアノブ
２  動力伝達部
３  給気口
【図１】
0003155591.tif 000003
【図２】
0003155591.tif 000004
【手続補正書】
【提出日】平成21年8月27日(2009.8.27)
【手続補正１】
【補正対象書類名】実用新案登録請求の範囲
【補正対象項目名】全文
【補正方法】変更
【補正の内容】
【実用新案登録請求の範囲】
【請求項１】
開閉ドアに取付けたドアノブ１と同ドアノブに連結された揺動部材と同揺動部材の他側に取付けた圧力開放手段とからなることを特徴とする開閉ドア。
(57)【要約】      （修正有）【課題】先の開きが小さく柄の短い刺す股に叩き棒、目潰しを組み込み、個人使用でも犯人対応を効果的にする刺す股を提供する。【解決手段】棒状部材の遠隔側の一端に二股状の開きを備えた犯人捕捉用の刺す股において、前記二股状の開きは犯人の利き腕、又は首を挟むに適した間隔で分岐して延ばした二股状に形成し、棒状部材の近接側より叩き棒２を差しこんで、刺す股を構成する。さらに、前記叩き棒の近接側の一端に、目潰しを収納する容器３を取付けても良い。【選択図】図１
0003155596.tif 000002
【実用新案登録請求の範囲】
【請求項１】
目潰し付叩き棒を柄の中に組み込んだ先の開きが在来型より小さく柄が短い刺す股
【請求項２】
目潰しで犯人をひるませ主として犯人の利き腕を押さえ凶器や得物を叩き落とすため一連の行動ができるよう構成された用具
【考案の詳細な説明】
【技術分野】
【０００１】刃物を持った犯人に対応する得物
【背景技術】
【０００２】昔より犯人逮捕に利用された刺す股
【先行技術文献】
【特許文献】
【０００３】当考案に該当する先行技術文献無し
【非特許文献】
【０００４】当考案に該当する先行技術文献無し
【考案の概要】
昔より犯人逮捕に利用されている従来の刺す股は両手で持つて犯人の動きを束縛するもので一人では効果がない、私の考案したものは一人で使用して犯人を撃退または逮捕できるものである。
【考案が解決しようとする課題】
【０００５】考案の概要に書いたように従来の指す股は一人では犯人を撃退や逮捕できないがこの考案はそれが可能である。
【考案を解決するための手段】
【０００６】犯人に目潰しを投げてひるませ、先端の開きの小さい長さの短い刺す股で犯人の利き腕を押さえ刃物を叩き棒で打ち落とすように使用する。
【考案の効果】
【０００７】会社や夜間スーパーなどの警備は一人の場合が多く一人で犯人に対応することになるのでこの考案は大いに有効である
【図面の簡単な説明】
【０００８】
【図１】は常時先端の開きが小さく柄の短い刺す股に叩き棒と目潰しを組み込んだ姿
【図２】は肘幼児刺す股より叩き棒と目潰し部分を引き出した姿
【考案を実施するための形態】
【０００９】犯人が出現したらこの考案品を持つて駆け付け、まづ目潰しで犯人をひるませ刺す股で犯人の利き腕を押さえて叩き帽で刃物を打ち落とすように使用する
【実施例】
【０００１０】なし
【産業上の利用可能性】
【０００１１】会社やスーパーその他の警備には絶対に必要である
【符号の説明】
【０００１２】○  片手持ちの刺す股
○  叩き棒
○  目潰し入れ
【図１】
0003155596.tif 000003
【図２】
0003155596.tif 000004
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
棒状部材の遠隔側の一端に二股状の開きを備えた犯人捕捉用の刺す股において、前記二股状の開きは犯人の利き腕、又は首を挟むに適した間隔で分岐して延びる二股状の形成され、棒状部材の近接側より叩き棒が差しこまれていることを特徴とする刺す股。
【請求項２】
前記叩き棒の近接側の一端に、目潰しを収納する容器が取付けられている、請求項１に記載の刺す股。
【手続補正２】
【補正対象書類名】明細書
【補正対象項目名】全文
【補正方法】変更
【補正の内容】
【考案の詳細な説明】
【技術分野】
【０００１】本考案は、刃物を持つた犯人に対応する際に利用される得物の技術分野に属する。
【背景技術】
【０００２】従来より、特に刃物を持つた犯人捕捉のために刺す股が使用されていた刺す股は一般に、長い棒状部材の先端に二股に分かれた「開き」をそなえ  これを利用するものは、棒状部材を保持し、開きを犯人側に向けて刃物の届く範囲外から犯人の動きを拘束するように使用されていた。
【先行技術文献】
【特許文献】
【０００３】  当考案に該当する先行技術文献無し
【非特許文献】
【０００４】  当考案に該当する先行技術文献無し
【考案の概要】
犯人逮捕に利用されている従来の刺す股は両手でもつて犯人の動きを束縛するもので一人では効果がない、私の考案したものは一人で使用して犯人を撃退または逮捕できるものである。
【考案が解決しようとする課題】
【０００５】  現在使用されている刺す股の開きは、主に犯人の胴体部分や脚部を補促するように構成されていたため、幅広であり、刺す股全体として大きくなるため、犯人の動きを拘束するにはこれを両手で持つて使用しなければならなかつた。
この際、犯人に刺す股たを掴まれて使用する者が逆襲される危険性があり、したがつて通常は刺す股を持つた複数の者で犯人に対抗する必要があつた。このため従来技術による刺す股では、一人で犯人を撃退や補促することが困難であつた。
本願考案は以上を考慮し、一人で使用することができ、犯人を有効に撃退、補促することを可能とした改良された刺す股を提供することを目的としている。
【考案を解決するための手段】
本考案は、二股状の開きを小型化し、柄の長さを短く、かつ柄の部分に叩き棒を差し込むよう構成することによつて上記の課題を解決するもので、具体的には以下の内容を含む。
【０００６】  本考案の１つの態様は、棒状部材の遠隔側の一端に二股状の開きを備えた犯人補促ようの刺す股であつて、前記二股状の開きは、犯人の動きを拘束するため犯人の利き腕や首を挟むに適した間隔で分岐して延びる二股状に形成され、棒状ぶざいの近接側の端より棒状の叩き棒が差し込まれていることを特徴とする刺す股に関する。
【０００７】  前期叩き棒の近接側の一端には、犯人をひるませるために使用可能な目潰しを収納する容器をさらに取り付ける。
【考案の効果】
【０００８】  会社や夜間ス−パ−などの警備は一人の場合が多く一人で犯人に対応することになるので、この考案は大いに有効である。
【図面の簡単な説明】
【０００９】
【図１】は常時先端の開きが小さく柄の短い刺す股に叩き棒と目潰しを組み込んだ姿
【図２】は非常時刺す股より叩き棒と目潰し部分を引き出した姿
【考案を実施するための形態】
【０００１０】  現在使用されている刺す股は犯人の動きを束縛するため先の開きが大きく、それに柄も長く両手で操作するものであるが、私の考案したものは刺す股の遠隔側の短部の二股状のひらきは犯人の利き腕や首を押さえるための大きさの開きで刺す股を片手でそうさするため、長さは５０ｃｍ程度であり棒状部材の近接側の端より叩き棒が差し込まれている、非常時の場合叩き棒を抜きだし二股状の開きを持つた刺す股で相手の利き腕や首を押さえ刃物を叩き落す、状況によつては目潰しをげて犯人をひるませる、そのための目潰しの入つた容器を叩き棒の尻に取り付けてある。
【産業上の利用可能性】
【０００１１】  本考案は、会社やス−パ−その他の施設類の警備などの分野において広く利用することができる。
【符号の説明】
【０００１２】  ▲１▼  片手持ちの刺す股
▲２▼  叩き棒
▲３▼  目潰し入れ